(57)【要約】【課題】加熱能力を大きく損なうことなく、加熱および除霜の同時運転を可能とするヒートポンプ装置、を提供する。【解決手段】ヒートポンプ式暖房給湯機は、利用側熱交換器３３と、熱源側熱交換器５１および熱源側熱交換器５２と、圧縮機３１と、膨張弁３６と、熱源側熱交換器５１の除霜運転時に、冷凍回路２１上から、０℃よりも高い温度を有する冷媒を分岐させ、熱源側熱交換器５１に導きつつ、膨張弁３６から熱源側熱交換器５２を通って圧縮機３１に向かう冷媒流れを形成し、熱源側熱交換器５２の除霜運転時に、冷凍回路２１上から、０℃よりも高い温度を有する冷媒を分岐させ、熱源側熱交換器５２に導きつつ、膨張弁３６から熱源側熱交換器５１を通って圧縮機３１に向かう冷媒流れを形成する冷媒流れ制御手段としての、冷媒供給回路６１、冷媒戻し回路６３、開閉弁６２、三方弁６６、三方弁６７、三方弁６８および三方弁６９とを備える。【選択図】図２
2014224644.tif 000002
【特許請求の範囲】
【請求項１】
冷媒と利用流体との間で熱交換を行なう利用側熱交換器と、
冷媒と室外空気との間で熱交換を行なう第１熱源側熱交換器および第２熱源側熱交換器と、
前記第１熱源側熱交換器および前記第２熱源側熱交換器から送られた冷媒を圧縮し、圧縮した冷媒を前記利用側熱交換器に向けて送る圧縮機と、
前記利用側熱交換器から送られた冷媒を減圧し、減圧した冷媒を前記第１熱源側熱交換器および前記第２熱源側熱交換器に向けて送る減圧装置と、
前記第１熱源側熱交換器の除霜運転時に、前記利用側熱交換器、前記圧縮機および前記減圧装置が配置される冷凍回路上から、０℃よりも高い温度を有する冷媒を分岐させ、前記第１熱源側熱交換器に導きつつ、前記減圧装置から前記第２熱源側熱交換器を通って前記圧縮機に向かう冷媒流れを形成し、前記第２熱源側熱交換器の除霜運転時に、前記利用側熱交換器、前記圧縮機および前記減圧装置が配置される冷凍回路上から、０℃よりも高い温度を有する冷媒を分岐させ、前記第２熱源側熱交換器に導きつつ、前記減圧装置から前記第１熱源側熱交換器を通って前記圧縮機に向かう冷媒流れを形成する冷媒流れ制御手段とを備える、ヒートポンプ装置。
【請求項２】
前記圧縮機は、前記第１熱源側熱交換器および前記第２熱源側熱交換器から送られた冷媒を圧縮する下段側圧縮機と、前記下段側圧縮機から送られた冷媒を圧縮する上段側圧縮機とを含み、
前記冷媒流れ制御手段は、除霜運転時、前記上段側圧縮機から吐出された冷媒を分岐させ、前記第１熱源側熱交換器または前記第２熱源側熱交換器に導く、請求項１に記載のヒートポンプ装置。
【請求項３】
前記圧縮機は、前記第１熱源側熱交換器および前記第２熱源側熱交換器から送られた冷媒を圧縮する下段側圧縮機と、前記下段側圧縮機から送られた冷媒を圧縮する上段側圧縮機とを含み、
前記冷媒流れ制御手段は、除霜運転時、前記下段側圧縮機から吐出された冷媒を分岐させ、前記第１熱源側熱交換器または前記第２熱源側熱交換器に導く、請求項１に記載のヒートポンプ装置。
【請求項４】
前記冷媒流れ制御手段は、除霜運転時に、前記第１熱源側熱交換器または前記第２熱源側熱交換器に導かれた冷媒を、前記利用側熱交換器と前記減圧装置との間の冷凍回路上に戻す冷媒戻し回路を含む、請求項１から３のいずれか１項に記載のヒートポンプ装置。
【請求項５】
冷媒と利用流体との間で熱交換を行なう利用側熱交換器と、
冷媒と室外空気との間で熱交換を行なう第１熱源側熱交換器および第２熱源側熱交換器と、
前記第１熱源側熱交換器および前記第２熱源側熱交換器から送られた冷媒を圧縮し、圧縮した冷媒を前記利用側熱交換器に向けて送る圧縮機と、
前記利用側熱交換器から送られた冷媒を減圧し、減圧した冷媒を前記第１熱源側熱交換器に向けて送り、冷媒の減圧比を調整可能な第１減圧装置と、
前記利用側熱交換器から送られた冷媒を減圧し、減圧した冷媒を前記第２熱源側熱交換器に向けて送り、冷媒の減圧比を調整可能な第２減圧装置と、
前記第１熱源側熱交換器の除霜運転時に、前記第１熱源側熱交換器と前記第２熱源側熱交換器とを順に通って前記圧縮機に向かう冷媒流れを形成し、前記第２熱源側熱交換器の除霜運転時に、前記第２熱源側熱交換器と前記第１熱源側熱交換器とを順に通って前記圧縮機に向かう冷媒流れを形成する冷媒流れ制御手段と、
前記第１熱源側熱交換器の除霜運転時に、前記第１減圧装置における冷媒の減圧比を減じ、前記第２熱源側熱交換器の除霜運転時に、前記第２減圧装置における冷媒の減圧比を減じるように、前記第１減圧装置および前記第２減圧装置を制御する減圧装置制御手段とを備える、ヒートポンプ装置。
【発明の詳細な説明】
【技術分野】
【０００１】
この発明は、一般的には、ヒートポンプ装置に関し、より特定的には、室外に設置された熱源側熱交換器の除霜機能を備えたヒートポンプ装置に関する。
【背景技術】
【０００２】
従来のヒートポンプ装置に関して、たとえば、特開２００１−５６１５９号公報には、圧縮機の吐出ガスを利用してデフロスト運転を行なう際に、室内温度が低下しないようにすることを目的とした、空気調和機が開示されている（特許文献１）。
【０００３】
図１７は、特許文献１に開示された空気調和機を示す冷媒回路図である。図１７を参照して、空気調和機は、冷媒の二段圧縮が可能な第１圧縮機５１１ａおよび第２圧縮機５１１ｂと、四路切り換え弁５１２と、室内熱交換器５１３と、膨張弁５１４，５１６と、室外熱交換器５１７とが冷媒配管により接続されて構成された冷凍回路を備える。室外熱交換器５１７のデフロスト運転時、第１圧縮機５１１ａの吐出冷媒が室外熱交換器５１７に供給される。第２圧縮機５１１ｂの吐出冷媒が室内熱交換器５１３に供給されてから室外熱交換器５１７に流入し、室外熱交換器５１７から流出した冷媒が第１圧縮機５１１ａおよび第２圧縮機５１１ｂの各圧縮機に吸入される。
【先行技術文献】
【特許文献】
【０００４】
【特許文献１】特開２００１−５６１５９号公報
【発明の概要】
【発明が解決しようとする課題】
【０００５】
上述の特許文献１に開示される空気調和機においては、２つの圧縮機のうちの一方の圧縮機から吐出される過熱ガス冷媒を除霜が必要な室外熱交換器（熱源側熱交換器）に流し、他方の圧縮機から吐出される過熱ガス冷媒を室内熱交換器（利用側熱交換器）および室外熱交換器（熱源側熱交換器）に順に流すことによって、除霜運転と加熱運転とを同時に行なっている。しかしながら、このような構成においては、除霜運転中の熱源側熱交換器では、室外空気から冷媒への吸熱が行なわれない。このため、利用側熱交換器の加熱能力は、２つの圧縮機の圧縮によって発生した熱量から除霜に費やした熱量を差し引いた値となり、加熱能力が大きく損なわれる。
【０００６】
そこでこの発明の目的は、上記の課題を解決することであり、加熱能力を大きく損なうことなく、加熱および除霜の同時運転を可能とするヒートポンプ装置を提供することである。
【課題を解決するための手段】
【０００７】
この発明の１つの局面に従ったヒートポンプ装置は、冷媒と利用流体との間で熱交換を行なう利用側熱交換器と、冷媒と室外空気との間で熱交換を行なう第１熱源側熱交換器および第２熱源側熱交換器と、第１熱源側熱交換器および第２熱源側熱交換器から送られた冷媒を圧縮し、圧縮した冷媒を利用側熱交換器に向けて送る圧縮機と、利用側熱交換器から送られた冷媒を減圧し、減圧した冷媒を第１熱源側熱交換器および第２熱源側熱交換器に向けて送る減圧装置と、第１熱源側熱交換器の除霜運転時に、利用側熱交換器、圧縮機および減圧装置が配置される冷凍回路上から、０℃よりも高い温度を有する冷媒を分岐させ、第１熱源側熱交換器に導きつつ、減圧装置から第２熱源側熱交換器を通って圧縮機に向かう冷媒流れを形成し、第２熱源側熱交換器の除霜運転時に、利用側熱交換器、圧縮機および減圧装置が配置される冷凍回路上から、０℃よりも高い温度を有する冷媒を分岐させ、第２熱源側熱交換器に導きつつ、減圧装置から第１熱源側熱交換器を通って圧縮機に向かう冷媒流れを形成する冷媒流れ制御手段とを備える。
【０００８】
このように構成されたヒートポンプ装置によれば、第１熱源側熱交換器および第２熱源側熱交換器のいずれか一方において加熱運転を行ないつつ、第１熱源側熱交換器および第２熱源側熱交換器のいずれか他方において除霜運転を行なうため、加熱能力を大きく損なうことなく、加熱および除霜の同時運転を行なうことができる。
【０００９】
この発明の別の局面に従ったヒートポンプ装置は、冷媒と利用流体との間で熱交換を行なう利用側熱交換器と、冷媒と室外空気との間で熱交換を行なう第１熱源側熱交換器および第２熱源側熱交換器と、第１熱源側熱交換器および第２熱源側熱交換器から送られた冷媒を圧縮し、圧縮した冷媒を利用側熱交換器に向けて送る圧縮機と、利用側熱交換器から送られた冷媒を減圧し、減圧した冷媒を第１熱源側熱交換器に向けて送り、冷媒の減圧比を調整可能な第１減圧装置と、利用側熱交換器から送られた冷媒を減圧し、減圧した冷媒を第２熱源側熱交換器に向けて送り、冷媒の減圧比を調整可能な第２減圧装置と、第１熱源側熱交換器の除霜運転時に、第１熱源側熱交換器と第２熱源側熱交換器とを順に通って圧縮機に向かう冷媒流れを形成し、第２熱源側熱交換器の除霜運転時に、第２熱源側熱交換器と第１熱源側熱交換器とを順に通って圧縮機に向かう冷媒流れを形成する冷媒流れ制御手段と、第１熱源側熱交換器の除霜運転時に、第１減圧装置における冷媒の減圧比を減じ、第２熱源側熱交換器の除霜運転時に、第２減圧装置における冷媒の減圧比を減じるように、第１減圧装置および第２減圧装置を制御する減圧装置制御手段とを備える。
【００１０】
このように構成されたヒートポンプ装置によれば、第１熱源側熱交換器および第２熱源側熱交換器のいずれか一方において除霜運転を行ないつつ、第１熱源側熱交換器および第２熱源側熱交換器のいずれか他方において加熱運転を行なうため、加熱能力を大きく損なうことなく、加熱および除霜の同時運転を行なうことができる。
【発明の効果】
【００１１】
以上に説明したように、この発明に従えば、加熱能力を大きく損なうことなく、加熱および除霜の同時運転を可能とするヒートポンプ装置を提供することができる。
【図面の簡単な説明】
【００１２】
【図１】この発明の実施の形態１におけるヒートポンプ式暖房給湯機を示す回路図である。
【図２】図１中のヒートポンプ式暖房給湯器において、一方の熱源側熱交換器の除霜運転時の冷媒流れを示す回路図である。
【図３】図１中のヒートポンプ式暖房給湯器において、他方の熱源側熱交換器の除霜運転時の冷媒流れを示す回路図である。
【図４】図１中のヒートポンプ式暖房給湯機において、暖房運転および除霜運転時のバルブの開閉状態を示す表である。
【図５】この発明の実施の形態２におけるヒートポンプ式暖房給湯機を示す回路図である。
【図６】この発明の実施の形態３におけるヒートポンプ式暖房給湯機を示す回路図である。
【図７】この発明の実施の形態４におけるヒートポンプ式暖房給湯機を示す回路図である。
【図８】図７中のヒートポンプ式暖房給湯器において、一方の熱源側熱交換器の除霜運転時の冷媒流れを示す回路図である。
【図９】図７中のヒートポンプ式暖房給湯器において、他方の熱源側熱交換器の除霜運転時の冷媒流れを示す回路図である。
【図１０】図７中のヒートポンプ式暖房給湯機において、暖房運転および除霜運転時のバルブの開閉状態を示す表である。
【図１１】この発明の実施の形態５におけるヒートポンプ式暖房給湯機を示す回路図である。
【図１２】この発明の実施の形態６におけるヒートポンプ式暖房給湯機を示す回路図である。
【図１３】図１２中のヒートポンプ式暖房給湯器において、一方の熱源側熱交換器の除霜運転時の冷媒流れを示す回路図である。
【図１４】図１２中のヒートポンプ式暖房給湯器において、他方の熱源側熱交換器の除霜運転時の冷媒流れを示す回路図である。
【図１５】図１２中のヒートポンプ式暖房給湯機において、暖房運転および除霜運転時のバルブの開閉状態を示す表である。
【図１６】この発明の実施の形態７におけるヒートポンプ式暖房給湯機を示す回路図である。
【図１７】特許文献１に開示された空気調和機を示す冷媒回路図である。
【発明を実施するための形態】
【００１３】
この発明の実施の形態について、図面を参照して説明する。なお、以下で参照する図面では、同一またはそれに相当する部材には、同じ番号が付されている。
【００１４】
（実施の形態１）
図１は、この発明の実施の形態１におけるヒートポンプ式暖房給湯機を示す回路図である。図１中では、二段圧縮運転時であって、通常の暖房運転時の冷媒流れが矢印によって示されている。
【００１５】
図１を参照して、本実施の形態におけるヒートポンプ式暖房給湯機１１０は、冷凍回路２１（図１中の地点Ａ、地点Ｂ、地点Ｃ、地点Ｄ、地点Ｅ、地点Ｆおよび地点Ａを順に通る閉回路）と、冷凍回路２１に接続されるインジェクション回路２２およびバイパス回路２３とを有する。これらの回路には、冷媒として、たとえばＲ４１０が封入されている。
【００１６】
冷凍回路２１は、環状に延びて、ヒートポンプサイクルを構成している。冷凍回路２１の経路上には、利用側熱交換器３３、熱源側熱交換器５１および熱源側熱交換器５２が設けられている。利用側熱交換器３３は、ヒートポンプサイクルを循環する冷媒と、利用流体（水または空気）との間で熱交換を行なう。
【００１７】
熱源側熱交換器５１および熱源側熱交換器５２は、室外に設置されている。熱源側熱交換器５１および熱源側熱交換器５２は、ヒートポンプサイクルを循環する冷媒と、外部熱源（室外空気）との間で熱交換を行なう。
【００１８】
熱源側熱交換器５１および熱源側熱交換器５２は、冷凍回路２１の経路上に並列に設けられている。熱源側熱交換器５１は、冷凍回路２１の分流路２１ａ上に設けられ、熱源側熱交換器５２は、冷凍回路２１の分流路２１ｂ上に設けられている。分流路２１ａおよび分流路２１ｂは、冷凍回路２１の地点Ｅで分岐し、冷凍回路２１の地点Ｆで再び合流する。分流路２１ａおよび分流路２１ｂは、環状に延びる冷凍回路２１上において並列に配置されており、冷凍回路２１を流れる冷媒は、分流路２１ａおよび分流路２１ｂに分かれて流れる。
【００１９】
なお、図１中では、熱源側熱交換器５１および熱源側熱交換器５２が別体の熱交換器として示されているが、１つの熱交換器に分流路２１ａおよび分流路２１ｂが設けられる構成であってもよい。
【００２０】
冷凍回路２１の経路上には、膨張弁３４、気液分離器３５および膨張弁３６がさらに設けられている。
【００２１】
膨張弁３４、気液分離器３５および膨張弁３６は、冷凍回路２１における冷媒の流れ方向において直列に並んでいる。利用側熱交換器３３から熱源側熱交換器５１，５２に向かう冷凍回路２１の経路上において、膨張弁３４、気液分離器３５および膨張弁３６が挙げた順に並んでいる。すなわち、気液分離器３５は、利用側熱交換器３３と、熱源側熱交換器５１および熱源側熱交換器５２との間に設けられている。膨張弁３４は、利用側熱交換器３３と気液分離器３５との間に設けられている。膨張弁３６は、気液分離器３５と、熱源側熱交換器５１および熱源側熱交換器５２との間に設けられている。膨張弁３６は、気液分離器３５と、地点Ｅとの間に設けられている。
【００２２】
膨張弁３４は、利用側熱交換器３３から送られた冷媒を減圧する減圧装置として設けられている。気液分離器３５は、膨張弁３４から送られた冷媒を気相冷媒と液相冷媒とに分離する。気液分離器３５は、気相冷媒が配置される気相冷媒空間３５ａと、液相冷媒が配置される液相冷媒空間３５ｂとを有する。膨張弁３６は、気液分離器３５から送られた液相冷媒を減圧する減圧装置として設けられている。膨張弁３６は、利用側熱交換器３３から、膨張弁３４および気液分離器３５を通じて送られた冷媒を減圧し、減圧した冷媒を熱源側熱交換器５１および熱源側熱交換器５２に向けて送る。
【００２３】
冷凍回路２１の経路上には、圧縮機３１がさらに設けられている。本実施の形態におけるヒートポンプ式暖房給湯機１１０は二段圧縮式であり、圧縮機３１として、下段側圧縮機３１Ａおよび上段側圧縮機３１Ｂが設けられている。
【００２４】
圧縮機３１は、熱源側熱交換器５１および熱源側熱交換器５２と、利用側熱交換器３３との間に設けられている。圧縮機３１は、冷凍回路２１の経路上において、利用側熱交換器３３および熱源側熱交換器５１，５２を挟んで、膨張弁３４、気液分離器３５および膨張弁３６の反対側に設けられている。圧縮機３１は、熱源側熱交換器５１および熱源側熱交換器５２から送られた冷媒を圧縮し、圧縮した冷媒を利用側熱交換器３３に向けて送る。
【００２５】
下段側圧縮機３１Ａおよび上段側圧縮機３１Ｂは、冷凍回路２１における冷媒の流れ方向において直列に並んでいる。熱源側熱交換器５１および熱源側熱交換器５２から利用側熱交換器３３に向かう冷凍回路２１の経路上において、下段側圧縮機３１Ａおよび上段側圧縮機３１Ｂは挙げた順に並んでいる。すなわち、下段側圧縮機３１Ａは、熱源側熱交換器５１および熱源側熱交換器５２と、上段側圧縮機３１Ｂとの間に設けられている。上段側圧縮機３１Ｂは、下段側圧縮機３１Ａと利用側熱交換器３３との間に設けられている。
【００２６】
下段側圧縮機３１Ａは、熱源側熱交換器５１および熱源側熱交換器５２から送られた冷媒を圧縮する低圧側の圧縮機として設けられている。上段側圧縮機３１Ｂは、下段側圧縮機３１Ａから送られた冷媒をさらに圧縮する高圧側の圧縮機として設けられている。
【００２７】
インジェクション回路２２は、気液分離器３５で分離された気相冷媒または気液二相冷媒の一部を、下段側圧縮機３１Ａと上段側圧縮機３１Ｂとの間の冷凍回路２１（地点Ａ）へと導くように設けられている。
【００２８】
より具体的には、インジェクション回路２２は、その両端が、気液分離器３５の気相冷媒空間３５ａと、下段側圧縮機３１Ａと上段側圧縮機３１Ｂとの間の冷凍回路２１（地点Ａ）とにそれぞれ繋がるように設けられている。インジェクション回路２２の冷媒入り口は、気液分離器３５の気相冷媒空間３５ａに接続され、インジェクション回路２２の冷媒出口は、下段側圧縮機３１Ａと上段側圧縮機３１Ｂとの間の冷凍回路２１（地点Ａ）に接続されている。
【００２９】
インジェクション回路２２の経路上には、開閉弁４１が設けられている。開閉弁４１は、インジェクション回路２２における冷媒流れを許容または制限するバルブとして設けられている。
【００３０】
バイパス回路２３は、下段側圧縮機３１Ａから送られた冷媒を上段側圧縮機３１Ｂを迂回させて、利用側熱交換器３３に導くように設けられている。より具体的には、バイパス回路２３は、その両端が、下段側圧縮機３１Ａと上段側圧縮機３１Ｂとの間の冷凍回路２１（地点Ａ）と、上段側圧縮機３１Ｂと利用側熱交換器３３との間の冷凍回路２１（地点Ｂ）とにそれぞれ繋がるように設けられている。
【００３１】
バイパス回路２３の経路上には、開閉弁３９が設けられている。開閉弁３９は、バイパス回路２３における冷媒流れを許容または制限するバルブとして設けられている。
【００３２】
二段圧縮運転時、開閉弁３９が閉状態とされ、下段側圧縮機３１Ａから吐出された冷媒は上段側圧縮機３１Ｂに導かれる。このとき、開閉弁４１は開状態とされ、インジェクション回路２２から下段側圧縮機３１Ａと上段側圧縮機３１Ｂとの間の冷凍回路２１に冷媒が合流する。このインジェクション回路２２から合流する冷媒によって、上段側圧縮機３１Ｂにおける冷媒の吸い込み温度が低下するため、ヒートポンプサイクルの信頼性を保つことができる。
【００３３】
一方、一段圧縮運転時には、開閉弁３９が開状態とされ、下段側圧縮機３１Ａから吐出された冷媒はバイパス回路２３を通って利用側熱交換器３３に直接向かう。このとき、開閉弁４１は閉状態とされる。
【００３４】
図２は、図１中のヒートポンプ式暖房給湯器において、一方の熱源側熱交換器の除霜運転時の冷媒流れを示す回路図である。図３は、図１中のヒートポンプ式暖房給湯器において、他方の熱源側熱交換器の除霜運転時の冷媒流れを示す回路図である。
【００３５】
図２および図３を参照して、本実施の形態におけるヒートポンプ式暖房給湯機１１０は、冷媒供給回路６１および冷媒戻し回路６３をさらに有する。除霜運転時、冷媒供給回路６１は、冷凍回路２１を流れる冷媒の一部を熱源側熱交換器５１または熱源側熱交換器５２に導く。冷媒戻し回路６３は、冷媒供給回路６１を通じて熱源側熱交換器５１または熱源側熱交換器５２に導かれた冷媒を、冷凍回路２１上に再び戻す。
【００３６】
冷媒供給回路６１は、冷凍回路２１から０℃よりも高い温度を有する冷媒を熱源側熱交換器５１または熱源側熱交換器５２に導くように設けられている。冷媒供給回路６１は、冷凍回路２１の経路上において圧縮機３１から利用側熱交換器３３に向けて送られる冷媒の一部を熱源側熱交換器５１または熱源側熱交換器５２に導くように設けられている。
【００３７】
本実施の形態では、冷媒供給回路６３が、上段側圧縮機３１Ｂから吐出された冷媒の一部を熱源側熱交換器５１または熱源側熱交換器５２に導くように設けられている。冷媒供給回路６１は、上段側圧縮機３１Ｂと利用側熱交換器３３との間の冷凍回路２１（地点Ｃ）から分岐している。冷媒供給回路６１は、地点Ｇで２経路に分かれて、熱源側熱交換器５１と地点Ｆとの間の分流路２１ａおよび熱源側熱交換器５２と地点Ｆとの間の分流路２１ｂに接続されている。
【００３８】
冷媒戻し回路６３は、冷媒供給回路６１を通じて熱源側熱交換器５１または熱源側熱交換器５２に導かれた冷媒を、利用側熱交換器３３と膨張弁３６との間の冷凍回路２１上に戻すように設けられている。
【００３９】
本実施の形態では、冷媒戻し回路６３が、地点Ｅと熱源側熱交換器５１との間の分流路２１ａおよび地点Ｅと熱源側熱交換器５２との間の分流路２１ｂから分岐している。冷媒戻し回路６３は、地点Ｈで合流し、利用側熱交換器３３と膨張弁３４との間の冷凍回路２１（地点Ｄ）に接続されている。
【００４０】
本実施の形態におけるヒートポンプ式暖房給湯機１１０は、除霜運転時における冷媒流れを制御するためのバルブとして、開閉弁６２、三方弁６６、三方弁６７、三方弁６８および三方弁６９をさらに有する。
【００４１】
開閉弁６２は、冷凍回路２１から冷媒供給回路６１に流入する冷媒流れを許容または制限するバルブとして設けられている。開閉弁６２は、地点Ｃと地点Ｇとの間の冷媒供給回路６１に設けられている。
【００４２】
三方弁６７は、冷媒供給回路６１から分流路２１ａに流入する冷媒流れを許容または制限するバルブとして設けられ、三方弁６９は、冷媒供給回路６１から分流路２１ｂに流入する冷媒流れを許容または制限するバルブとして設けられている。三方弁６７は、冷媒供給回路６１と分流路２１ａとの接続位置に設けられ、三方弁６９は、冷媒供給回路６１と分流路２１ｂとの接続位置に設けられている。
【００４３】
三方弁６６は、分流路２１ａから冷媒戻し回路６３に流入する冷媒流れを許容または制限するバルブとして設けられ、三方弁６８は、分流路２１ｂから冷媒戻し回路６３に流入する冷媒流れを許容または制限するバルブとして設けられている。三方弁６６は、分流路２１ａからの冷媒戻し回路６３の分岐位置に設けられ、三方弁６８は、分流路２１ｂからの冷媒戻し回路６３の分岐位置に設けられている。
【００４４】
なお、冷媒供給回路６１から冷凍回路２１への冷媒流れや、冷凍回路２１から冷媒戻し回路６３への冷媒流れを制御するバルブとしては、上記の三方弁に限られず、複数の開閉弁（二方弁）が適当に組み合わされて用いられてもよい。
【００４５】
本実施の形態におけるヒートポンプ式暖房給湯機１１０は、上段側圧縮機３１Ｂと利用側熱交換器３３の間に分岐部（地点Ｃ）を備え、その分岐部と、熱源側熱交換器５１および熱源側熱交換器５２との間を冷媒配管（冷媒供給回路６１）により繋ぐ。分岐した冷媒配管は、除霜運転時に冷媒を流すための配管であるため、冷媒の流れを制御するために開閉弁６２を設置する。ここで、複数の熱源側熱交換器（熱源側熱交換器５１、熱源側熱交換器５２）が設けられるため、冷媒配管は、途中で熱源側熱交換器の数に応じて分岐する。分岐された各冷媒配管は、各熱源側熱交換器に、三方弁６７および三方弁６９を介して接続される。なお、三方弁は、３つの冷媒配管を接続可能な、３つの冷媒配管接続口を備えるものであり、それらの接続口から続く空間は三方弁の内部で繋がっている。さらに、それらの３つの接続口は、３つのうちいずれか２つの口が繋がり、残りの１つの接続口が閉じられるように、繋がる２つの接続口を選択し、切り替えることが可能である。別の三方弁６６および三方弁６８から分岐された各冷媒配管（冷媒戻し回路６３）は、途中で１本の冷媒配管に合流し、利用側熱交換器３３と膨張弁３４との間の冷媒配管に接続される。
【００４６】
図４は、図１中のヒートポンプ式暖房給湯機において、暖房運転および除霜運転時のバルブの開閉状態を示す表である。図中の三方弁６６〜６９の開閉状態については、形成する冷媒流れの順路によって表示がなされている。たとえば、通常運転時の三方弁６６の欄（３６−５１）に注目すると、三方弁６６は、冷凍回路２１上の膨張弁３６から、地点Ｅを通って分流路２１ａ上の熱源側熱交換器５１に向かう冷媒流れが形成されるように制御される。
【００４７】
図１から図４を参照して、本実施の形態におけるヒートポンプ式暖房給湯機１１０においては、熱源側熱交換器５１の除霜運転時、冷凍回路２１上から冷媒を分岐させ、熱源側熱交換器５１に導きつつ、膨張弁３６から熱源側熱交換器５２を通って圧縮機３１に向かう冷媒流れを形成する。熱源側熱交換器５２の除霜運転時、冷凍回路２１上から冷媒を分岐させ、熱源側熱交換器５２に導きつつ、膨張弁３６から熱源側熱交換器５１を通って圧縮機３１に向かう冷媒流れを形成する。
【００４８】
冷凍回路２１上から除霜される熱源側熱交換器５１または熱源側熱交換器５２に導かれる冷媒は、０℃よりも高い温度を有する。冷凍回路２１上から除霜する熱源側熱交換器５１および熱源側熱交換器５２のいずれか一方に導かれる冷媒は、除霜しない熱源側熱交換器５１および熱源側熱交換器５２のいずれか他方を通る冷媒よりも高い温度を有する。
【００４９】
除霜運転時の冷媒流れについてより具体的に説明する。図２および図４を参照して、熱源側熱交換器５１の除霜運転時、上段側圧縮機３１Ｂから吐出された高温のガス冷媒の一部が、冷凍回路２１から冷媒供給回路６１に流入する。冷媒は、冷媒供給回路６１を通って分流路２１ａ上の熱源側熱交換器５１に導かれ、熱源側熱交換器５１の除霜を行なう。除霜後の冷媒は、冷媒戻し回路６３を通って、利用側熱交換器３３と膨張弁３４との間の冷凍回路２１上に戻される。一方、このとき、膨張弁３６から吐出された冷媒は、分流路２１ｂ上の熱源側熱交換器５２を通って、下段側圧縮機３１Ａおよび上段側圧縮機３１Ｂに向かう。
【００５０】
図３および図４を参照して、熱源側熱交換器５２の除霜運転時、上段側圧縮機３１Ｂから吐出された高温のガス冷媒の一部が、冷凍回路２１から冷媒供給回路６１に流入する。冷媒は、冷媒供給回路６１を通って、分流路２１ｂ上の熱源側熱交換器５２に導かれ、熱源側熱交換器５２の除霜を行なう。除霜後の冷媒は、冷媒戻し回路６３を通って、利用側熱交換器３３と膨張弁３４との間の冷凍回路２１上に戻される。一方、このとき、膨張弁３６から吐出された冷媒は、分流路２１ａ上の熱源側熱交換器５１を通って、下段側圧縮機３１Ａおよび上段側圧縮機３１Ｂに向かう。
【００５１】
このような構成によれば、上段側圧縮機３１Ｂから吐出された高温のガス冷媒の一部を、冷凍回路２１から分岐させ、除霜する熱源側熱交換器５１および熱源側熱交換器５２のいずれか一方にのみ供給することにより、除霜しない熱源側熱交換器５１および熱源側熱交換器５２のいずれか他方では、室外空気から熱源側熱交換器を流れる冷媒への吸熱が可能となる。これにより、ヒートポンプサイクル上で室外空気からの吸熱工程を経た冷媒循環量を十分に確保できるため、暖房能力を大きく落とさずに、除霜運転と暖房運転とを同時に実施することができる。
【００５２】
なお、図２および図３中には、二段圧縮運転時に除霜運転を行なった場合の冷媒流れが示されているが、一段圧縮運転時に除霜運転を行なうことも可能である。この場合、下段側圧縮機３１Ａから吐出された高温の冷媒ガスが、バイパス回路２３および冷媒供給回路６１を通って、除霜する熱源側熱交換器５１または熱源側熱交換器５２に導かれる。
【００５３】
以上に説明した、この発明の実施の形態１におけるヒートポンプ式暖房給湯機１１０の構造についてまとめて説明すると、本実施の形態におけるヒートポンプ装置としてのヒートポンプ式暖房給湯機１１０は、冷媒と利用流体との間で熱交換を行なう利用側熱交換器３３と、冷媒と室外空気との間で熱交換を行なう第１熱源側熱交換器としての熱源側熱交換器５１および第２熱源側熱交換器としての熱源側熱交換器５２と、熱源側熱交換器５１および熱源側熱交換器５２から送られた冷媒を圧縮し、圧縮した冷媒を利用側熱交換器３３に向けて送る圧縮機３１と、利用側熱交換器３３から送られた冷媒を減圧し、減圧した冷媒を熱源側熱交換器５１および熱源側熱交換器５２に向けて送る減圧装置としての膨張弁３６と、熱源側熱交換器５１の除霜運転時に、利用側熱交換器３３、圧縮機３１および膨張弁３６が配置される冷凍回路２１上から、０℃よりも高い温度を有する冷媒を分岐させ、熱源側熱交換器５１に導きつつ、膨張弁３６から熱源側熱交換器５２を通って圧縮機３１に向かう冷媒流れを形成し、熱源側熱交換器５２の除霜運転時に、利用側熱交換器３３、圧縮機３１および膨張弁３６が配置される冷凍回路２１上から、０℃よりも高い温度を有する冷媒を分岐させ、熱源側熱交換器５２に導きつつ、膨張弁３６から熱源側熱交換器５１を通って圧縮機３１に向かう冷媒流れを形成する冷媒流れ制御手段としての、冷媒供給回路６１、冷媒戻し回路６３、開閉弁６２、三方弁６６、三方弁６７、三方弁６８および三方弁６９とを備える。
【００５４】
なお、本実施の形態では、冷凍回路２１上に２つの熱源側熱交換器５１，５２が設けられる構成について説明したが、３つ以上の熱源側熱交換器が設けられてもよい。この場合であっても、除霜運転時、少なくとも１つの熱源側熱交換器において室外空気から熱源側熱交換器を流れる冷媒への吸熱が実行されるように冷媒流れが制御される。
【００５５】
また、冷媒戻し回路６３を冷凍回路２１に接続する位置は、除霜後の冷媒が、除霜しない熱源側熱交換器５１または熱源側熱交換器５２に流入する前に膨張行程を経ることが可能な位置であればよく、たとえば、膨張弁３４と膨張弁３６との間の冷凍回路２１のいずれかの位置であってもよい。
【００５６】
また、本実施の形態では、インジェクション回路２２およびバイパス回路２３を備えた一段圧縮運転および二段圧縮運転の切り替え可能なヒートポンプ式暖房給湯機１１０に本発明を適用した場合について説明したが、これに限られず、一段圧縮式のヒートポンプ装置や、切り換え不可の複数段圧縮式のヒートポンプ装置に本発明を適用することも可能である。
【００５７】
このように構成された、この発明の実施の形態１におけるヒートポンプ式暖房給湯機１１０によれば、熱源側熱交換器５１および熱源側熱交換器５２のいずれか一方において除霜を行なう間、熱源側熱交換器５１および熱源側熱交換器５２のいずれか他方において室外空気から熱源側熱交換器を流れる冷媒への吸熱を行なうため、加熱能力を大きく損なうことなく、加熱および除霜の同時運転を行なうことができる。
【００５８】
（実施の形態２）
図５は、この発明の実施の形態２におけるヒートポンプ式暖房給湯機を示す回路図である。本実施の形態におけるヒートポンプ式暖房給湯機は、実施の形態１におけるヒートポンプ式暖房給湯機１１０と比較して、基本的には同様の構造を備える。以下、重複する構造については、その説明を繰り返さない。
【００５９】
図５を参照して、本実施の形態では、図１中の膨張弁３６として、膨張弁３６Ｘおよび膨張弁３６Ｙが設けられている。膨張弁３６Ｘは、地点Ｅと熱源側熱交換器５１との間の分流路２１ａ上に設けられ、膨張弁３６Ｙは、地点Ｅと熱源側熱交換器５２との間の分流路２１ｂ上に設けられている。
【００６０】
このように構成された、この発明の実施の形態２におけるヒートポンプ式暖房給湯機によれば、実施の形態１に記載の効果を同様に奏することができる。
【００６１】
（実施の形態３）
図６は、この発明の実施の形態３におけるヒートポンプ式暖房給湯機を示す回路図である。本実施の形態におけるヒートポンプ式暖房給湯機は、実施の形態１におけるヒートポンプ式暖房給湯機１１０と比較して、基本的には同様の構造を備える。以下、重複する構造については、その説明を繰り返さない。
【００６２】
図６を参照して、本実施の形態では、インジェクション回路２２上に、図１中の開閉弁４１に替えて、膨張弁４２が設けられている。膨張弁４２としては、全閉状態とすることが可能なものが用いられる。
【００６３】
このように構成された、この発明の実施の形態３におけるヒートポンプ式暖房給湯機によれば、実施の形態１に記載の効果を同様に奏することができる。
【００６４】
（実施の形態４）
図７は、この発明の実施の形態４におけるヒートポンプ式暖房給湯機を示す回路図である。図７中では、二段圧縮運転時であって、通常の暖房運転時の冷媒流れが矢印によって示されている。図８は、図７中のヒートポンプ式暖房給湯器において、一方の熱源側熱交換器の除霜運転時の冷媒流れを示す回路図である。図９は、図７中のヒートポンプ式暖房給湯器において、他方の熱源側熱交換器の除霜運転時の冷媒流れを示す回路図である。
【００６５】
本実施の形態におけるヒートポンプ式暖房給湯機は、実施の形態１におけるヒートポンプ式暖房給湯機１１０と比較して、基本的には同様の構造を備える。以下、重複する構造については、その説明を繰り返さない。
【００６６】
図７から図９を参照して、本実施の形態におけるヒートポンプ式暖房給湯機１２０においては、冷凍回路２１が、図中の地点Ａ、地点Ｂ、地点Ｅ、地点Ｆ、地点Ｊ、地点Ｋおよび地点Ａを通る循環路を構成している。下段側圧縮機３１Ａは、地点Ｆと地点Ｊとの間の冷凍回路２１上に設けられている。
【００６７】
熱源側熱交換器５１および熱源側熱交換器５２は、冷凍回路２１の経路上に並列に設けられている。熱源側熱交換器５１は、冷凍回路２１の分流路２１ａ上に設けられ、熱源側熱交換器５２は、分流路２１ｂ上に設けられている。分流路２１ａおよび分流路２１ｂは、冷凍回路２１の地点Ｅで分岐し、冷凍回路２１の地点Ｆで再び合流する。この間、分流路２１ａは、地点Ｅ、地点Ｉおよび地点Ｆを順に通る。
【００６８】
図１中の膨張弁３６として、膨張弁３６Ｘおよび膨張弁３６Ｙが設けられている。膨張弁３６Ｘは、地点Ｅと熱源側熱交換器５１との間の冷凍回路２１の分流路２１ａ上に設けられ、膨張弁３６Ｙは、地点Ｅと熱源側熱交換器５２との間の冷凍回路２１の分流路２１ｂ上に設けられている。
【００６９】
本実施の形態におけるヒートポンプ式暖房給湯機１２０は、短絡回路７１および短絡回路７２をさらに有する。
【００７０】
短絡回路７１は、熱源側熱交換器５１の除霜運転時、下段側圧縮機３１Ａから吐出された冷媒の一部を熱源側熱交換器５１に導き、熱源側熱交換器５２の除霜運転時、熱源側熱交換器５１から流出した冷媒を、冷凍回路２１における下段側圧縮機３１Ａの上流側に導く。短絡回路７１は、熱源側熱交換器５１と地点Ｆとの間の分流路２１ａ（地点Ｉ）と、下段側圧縮機３１Ａと地点Ｋとの間の冷凍回路２１（地点Ｊ）との間を繋ぐように設けられている。短絡回路７２は、熱源側熱交換器５２の除霜運転時、下段側圧縮機３１Ａから吐出された冷媒の一部を上段側圧縮機３１Ｂに向けて送り出すように設けられている。短絡回路７２は、冷凍回路２１の地点Ｆと、下段側圧縮機３１Ａと上段側圧縮機３１Ｂとの間の冷凍回路２１（地点Ｋ）との間を繋ぐように設けられている。
【００７１】
本実施の形態におけるヒートポンプ式暖房給湯機１２０は、除霜運転時における冷媒流れを制御するためのバルブとして、開閉弁７５、開閉弁７６、開閉弁７７、開閉弁７８および四方弁７９をさらに有する。
【００７２】
開閉弁７５は、冷凍回路２１の分流路２１ａにおける冷媒流れを許容または制限するバルブとして設けられている。開閉弁７５は、地点Ｉと地点Ｆとの間の分流路２１ａに設けられている。開閉弁７６は、短絡回路７２における冷媒流れを許容または制限するバルブとして設けられている。開閉弁７６は、短絡回路７２に設けられている。開閉弁７７は、地点Ｊと地点Ｋとの間の冷凍回路２１における冷媒流れを許容または制限するバルブとして設けられている。開閉弁７６は、地点Ｊと地点Ｋとの間の冷凍回路２１に設けられている。開閉弁７８は、短絡回路７１における冷媒流れを許容または制限するバルブとして設けられている。開閉弁７８は、短絡回路７１に設けられている。
【００７３】
四方弁７９は、地点Ｆと地点Ｊとの間の冷凍回路２１における冷媒の流れ方向を反転させるバルブとして設けられている。四方弁７９によって、地点Ｆと地点Ｊとの間の冷凍回路２１における冷媒の流れ方向が、地点Ｆ、下段側圧縮機３１Ａおよび地点Ｊの順と、地点Ｊ、下段側圧縮機３１Ａおよび地点Ｆの順とに切り替えられる。
【００７４】
本実施の形態におけるヒートポンプ式暖房給湯機１２０は、下段側圧縮機３１Ａの吐出側と吸い込み側とを切り替えるための四方弁７９と、暖房運転時、熱源側熱交換器５１の除霜運転時および熱源側熱交換器５２の除霜運転時に冷媒の流れる経路を制御するための開閉弁７５、開閉弁７６、開閉弁７７、開閉弁７８と、それらを接続する冷媒配管とを備える。
【００７５】
図１０は、図７中のヒートポンプ式暖房給湯機において、暖房運転および除霜運転時のバルブの開閉状態を示す表である。
【００７６】
図７から図１０を参照して、本実施の形態におけるヒートポンプ式暖房給湯機１２０においては、熱源側熱交換器５１の除霜運転時、冷凍回路２１上から冷媒を分岐させ、熱源側熱交換器５１に導きつつ、膨張弁３６Ｙから熱源側熱交換器５２を通って圧縮機３１に向かう冷媒流れを形成する。熱源側熱交換器５２の除霜運転時、冷凍回路２１上から冷媒を分岐させ、熱源側熱交換器５２に導きつつ、膨張弁３６Ｘから熱源側熱交換器５１を通って圧縮機３１に向かう冷媒流れを形成する。
【００７７】
冷凍回路２１上から除霜する熱源側熱交換器５１または熱源側熱交換器５２に導かれる冷媒は、０℃よりも高い温度を有する。冷凍回路２１上から除霜する熱源側熱交換器５１および熱源側熱交換器５２のいずれか一方に導かれる冷媒は、除霜しない熱源側熱交換器５１および熱源側熱交換器５２のいずれか他方を通る冷媒よりも高い温度を有する。
【００７８】
除霜運転時の冷媒流れについてより具体的に説明する。図８および図１０を参照して、熱源側熱交換器５１の除霜運転時、四方弁７９によって、地点Ｆと地点Ｊとの間の冷凍回路２１における冷媒の流れ方向が、地点Ｆ、下段側圧縮機３１Ａおよび地点Ｊの順に設定される。下段側圧縮機３１Ａから吐出された高温のガス冷媒の一部は、地点Ｊから短絡回路７１を通って熱源側熱交換器５１に向かい、熱源側熱交換器５１の除霜を行なう。下段側圧縮機３１Ａから吐出された冷媒の残りは、地点Ｋを通って上段側圧縮機３１Ｂに向かう。除霜後の冷媒は、地点Ｅを通って分流路２１ｂに流入する。この際、膨張弁３６Ｘは、全開または半開に制御されている。一方、このとき、気液分離器３５から流出した液冷媒は、地点Ｅで除霜後の冷媒と合流し、分流路２１ｂ上の膨張弁３６Ｙによって所望の過熱度とされる。冷媒は、熱源側熱交換器５２を通って、下段側圧縮機３１Ａに向かう。
【００７９】
図９および図１０を参照して、熱源側熱交換器５２の除霜運転時、四方弁７９によって、地点Ｆと地点Ｊとの間の冷凍回路２１における冷媒の流れ方向が、地点Ｊ、下段側圧縮機３１Ａおよび地点Ｆの順に設定される。下段側圧縮機３１Ａから吐出された高温のガス冷媒の一部は、地点Ｆから分流路２１ｂ上の熱源側熱交換器５２に向かい、熱源側熱交換器５２の除霜を行なう。下段側圧縮機３１Ａから吐出された冷媒の残りは、地点Ｆから短絡回路７２を通って上段側圧縮機３１Ｂに向かう。除霜後の冷媒は、地点Ｅを通って分流路２１ａに流入する。この際、膨張弁３６Ｙは、全開または半開に制御されている。一方、このとき、気液分離器３５から流出した液冷媒は、地点Ｅで除霜後の冷媒と合流し、分流路２１ａ上の膨張弁３６Ｘによって所望の過熱度とされる。冷媒は、熱源側熱交換器５１および短絡回路７１を順に通って、下段側圧縮機３１Ａに向かう。
【００８０】
このような構成によれば、下段側圧縮機３１Ａから吐出された高温のガス冷媒の一部を、冷凍回路２１から分岐させ、除霜する熱源側熱交換器５１および熱源側熱交換器５２のいずれか一方にのみ供給することにより、除霜しない熱源側熱交換器５１および熱源側熱交換器５２のいずれか他方では、室外空気から熱源側熱交換器を流れる冷媒への吸熱が可能となる。これにより、ヒートポンプサイクル上で室外空気からの吸熱工程を経た冷媒循環量を十分に確保できるため、暖房能力を大きく落とさずに、除霜運転と暖房運転とを同時に実施することができる。
【００８１】
このように構成された、この発明の実施の形態４におけるヒートポンプ式暖房給湯機１２０によれば、実施の形態１に記載の効果と同様の効果を奏することができる。なお、実施の形態１および２では、圧縮機３１から吐出された冷媒の一部を除霜する熱源側熱交換器に導く構成について説明したが、本発明はこれに限られず、たとえば、利用側熱交換器３３から流出した冷媒の一部を除霜用の冷媒として利用してもよい。
【００８２】
（実施の形態５）
図１１は、この発明の実施の形態５におけるヒートポンプ式暖房給湯機を示す回路図である。本実施の形態におけるヒートポンプ式暖房給湯機は、実施の形態４におけるヒートポンプ式暖房給湯機１２０と比較して、基本的には同様の構造を備える。以下、重複する構造については、その説明を繰り返さない。
【００８３】
図１１を参照して、本実施の形態では、インジェクション回路２２上に、図７中の開閉弁４１に替えて、膨張弁４２が設けられている。膨張弁４２としては、全閉状態とすることが可能なものが用いられる。
【００８４】
このように構成された、この発明の実施の形態５におけるヒートポンプ式暖房給湯機によれば、実施の形態４に記載の効果を同様に奏することができる。
【００８５】
（実施の形態６）
図１２は、この発明の実施の形態６におけるヒートポンプ式暖房給湯機を示す回路図である。図１２中では、二段圧縮運転時であって、通常の暖房運転時の冷媒流れが矢印によって示されている。図１３は、図１２中のヒートポンプ式暖房給湯器において、一方の熱源側熱交換器の除霜運転時の冷媒流れを示す回路図である。図１４は、図１２中のヒートポンプ式暖房給湯器において、他方の熱源側熱交換器の除霜運転時の冷媒流れを示す回路図である。
【００８６】
本実施の形態におけるヒートポンプ式暖房給湯機は、実施の形態１におけるヒートポンプ式暖房給湯機１１０と比較して、基本的には同様の構造を備える。以下、重複する構造については、その説明を繰り返さない。
【００８７】
図１２から図１４を参照して、本実施の形態におけるヒートポンプ式暖房給湯機１３０においては、図１中の膨張弁３６として、膨張弁３６Ｘおよび膨張弁３６Ｙが設けられている。膨張弁３６Ｘは、地点Ｅと熱源側熱交換器５１との間の冷凍回路２１の分流路２１ａ上に設けられ、膨張弁３６Ｙは、地点Ｅと熱源側熱交換器５２との間の冷凍回路２１の分流路２１ｂ上に設けられている。
【００８８】
ヒートポンプ式暖房給湯機１３０は、接続回路９１および接続回路９２をさらに有する。接続回路９１および接続回路９２は、冷凍回路２１の分流路２１ａおよび分流路２１ｂの間を接続するように設けられている。
【００８９】
接続回路９１は、分流路２１ｂ上の熱源側熱交換器５２から流出した冷媒を、分流路２１ａ上の膨張弁３６Ｘおよび熱源側熱交換器５１に導く。接続回路９１は、その両端が、地点Ｅと膨張弁３６Ｘとの間の分流路２１ａと、熱源側熱交換器５２と地点Ｆとの間の分流路２１ｂとにそれぞれ繋がるように設けられている。接続回路９２は、分流路２１ａ上の熱源側熱交換器５１から流出した冷媒を、分流路２１ｂ上の膨張弁３６Ｙおよび熱源側熱交換器５２に導く。接続回路９２は、その両端が、地点Ｅと膨張弁３６Ｙとの間の分流路２１ｂと、熱源側熱交換器５１と地点Ｆとの間の分流路２１ａとにそれぞれ繋がるように設けられている。
【００９０】
ヒートポンプ式暖房給湯機１３０は、除霜運転時における冷媒流れを制御するためのバルブとして、開閉弁８１、開閉弁８２、三方弁８３、三方弁８４、三方弁８５および三方弁８６をさらに有する。
【００９１】
開閉弁８１は、冷凍回路２１から分流路２１ａに流入する冷媒流れを許容または制限するバルブとして設けられ、開閉弁８２は、冷凍回路２１から分流路２１ｂに流入する冷媒流れを許容または制限するバルブとして設けられている。開閉弁８１は、地点Ｅと膨張弁３６Ｘとの間の分流路２１ａに設けられ、開閉弁８２は、地点Ｅと膨張弁３６Ｙとの間の分流路２１ｂに設けられている。
【００９２】
三方弁８３は、接続回路９１から分流路２１ａに流入する冷媒流れを許容または制限するバルブとして設けられ、三方弁８６は、分流路２１ｂから接続回路９１に流入する冷媒流れを許容または制限するバルブとして設けられている。三方弁８３は、接続回路９１と分流路２１ａとの接続位置に設けられ、三方弁８６は、接続回路９１と分流路２１ｂとの接続位置に設けられている。
【００９３】
三方弁８４は、分流路２１ａから接続回路９２に流入する冷媒流れを許容または制限するバルブとして設けられ、三方弁８５は、接続回路９２から分流路２１ｂに流入する冷媒流れを許容または制限するバルブとして設けられている。三方弁８４は、接続回路９２と分流路２１ａとの接続位置に設けられ、三方弁８５は、接続回路９２と分流路２１ｂとの接続位置に設けられている。
【００９４】
本実施の形態におけるヒートポンプ式暖房給湯機１３０では、気液分離器３５の液相冷媒空間３５ｂに接続される冷媒配管が、そののち２つに分岐し、それぞれに開閉弁８１および開閉弁８２が配置される。開閉弁８１には、三方弁８３、膨張弁３６Ｘ、熱源側熱交換器５１および三方弁８４が順に冷媒配管を介して接続され、開閉弁８２には、三方弁８５、膨張弁３６Ｙ、熱源側熱交換器５２および三方弁８６が順に冷媒配管を介して接続される。
【００９５】
図１５は、図１２中のヒートポンプ式暖房給湯機において、暖房運転および除霜運転時のバルブの開閉状態を示す表である。
【００９６】
図１２から図１５を参照して、本実施の形態におけるヒートポンプ式暖房給湯機１３０においては、熱源側熱交換器５１の除霜運転時に、熱源側熱交換器５１および熱源側熱交換器５２を順に通って、圧縮機３１に向かう冷媒流れを形成する。このとき、膨張弁３６Ｘにおける冷媒の減圧比を減じるように、膨張弁３６Ｘの開度を大きくする。また、熱源側熱交換器５２の除霜運転時に、熱源側熱交換器５２および熱源側熱交換器５１を順に通って、圧縮機３１に向かう冷媒流れを形成する。このとき、膨張弁３６Ｙにおける冷媒の減圧比を減じるように、膨張弁３６Ｙの開度を大きくする。
【００９７】
除霜運転時の冷媒流れについてより具体的に説明する。図１３および図１５を参照して、熱源側熱交換器５１の除霜運転時、気液分離器３５から流出した液冷媒が、分流路２１ａに流入し、膨張弁３６Ｘを通る。このとき、膨張弁３６Ｘは、全開とされている。冷媒は、熱源側熱交換器５１に導かれ、熱源側熱交換器５１の除霜を行なう。除霜後の冷媒は、接続回路９２を通り、分流路２１ｂに流入する。冷媒は、膨張弁３６Ｙによって所望の過熱度とされる。冷媒は、熱源側熱交換器５２を通って、下段側圧縮機３１Ａおよび上段側圧縮機３１Ｂに向かう。
【００９８】
図１４および図１５を参照して、熱源側熱交換器５２の除霜運転時、気液分離器３５から流出した液冷媒が、分流路２１ｂに流入し、膨張弁３６Ｙを通る。このとき、膨張弁３６Ｙは、全開とされている。冷媒は、熱源側熱交換器５２に導かれ、熱源側熱交換器５２の除霜を行なう。除霜後の冷媒は、接続回路９１を通り、分流路２１ａに流入する。冷媒は、膨張弁３６Ｘによって所望の過熱度とされる。冷媒は、熱源側熱交換器５１を通って、下段側圧縮機３１Ａおよび上段側圧縮機３１Ｂに向かう。
【００９９】
このような構成によれば、気液分離器３５から流出した液冷媒を、膨張弁にて減圧することなく、まず除霜する熱源側熱交換器５１および熱源側熱交換器５２のいずれか一方に供給し、そして、除霜後の冷媒を膨張弁により減圧し、低温とした後、除霜しない熱源側熱交換器５１および熱源側熱交換器５２のいずれか他方に供給する。これにより、ヒートポンプサイクル上で室外空気からの吸熱工程を経た冷媒循環量を十分に確保できるため、暖房能力を大きく落とさずに、除霜運転と暖房運転とを同時に実施することができる。
【０１００】
以上に説明した、この発明の実施の形態６におけるヒートポンプ式暖房給湯機１３０の構造についてまとめて説明すると、本実施の形態におけるヒートポンプ装置としてのヒートポンプ式暖房給湯機１３０は、冷媒と利用流体との間で熱交換を行なう利用側熱交換器３３と、冷媒と室外空気との間で熱交換を行なう第１熱源側熱交換器としての熱源側熱交換器５１および第２熱源側熱交換器としての熱源側熱交換器５２と、熱源側熱交換器５１および熱源側熱交換器５２から送られた冷媒を圧縮し、圧縮した冷媒を利用側熱交換器３３に向けて送る圧縮機３１と、利用側熱交換器３３から送られた冷媒を減圧し、減圧した冷媒を熱源側熱交換器５１に向けて送り、冷媒の減圧比を調整可能な第１減圧装置としての膨張弁３６Ｘと、利用側熱交換器３３から送られた冷媒を減圧し、減圧した冷媒を熱源側熱交換器５２に向けて送り、冷媒の減圧比を調整可能な第２減圧装置としての膨張弁３６Ｙと、熱源側熱交換器５１の除霜運転時に、熱源側熱交換器５１と熱源側熱交換器５２とを順に通って圧縮機３１に向かう冷媒流れを形成し、熱源側熱交換器５２の除霜運転時に、熱源側熱交換器５２と熱源側熱交換器５１とを順に通って圧縮機３１に向かう冷媒流れを形成する冷媒流れ制御手段としての、接続回路９１、接続回路９２、開閉弁８１、開閉弁８２、三方弁８３、三方弁８４、三方弁８５および三方弁８６と、熱源側熱交換器５１の除霜運転時に、膨張弁３６Ｘにおける冷媒の減圧比を減じ、熱源側熱交換器５２の除霜運転時に、膨張弁３６Ｙにおける冷媒の減圧比を減じるように、膨張弁３６Ｘおよび膨張弁３６Ｙを制御する減圧装置制御手段とを備える。
【０１０１】
このように構成された、この発明の実施の形態６におけるヒートポンプ式暖房給湯機１３０によれば、実施の形態１に記載の効果と同様の効果を奏することができる。
【０１０２】
（実施の形態７）
図１６は、この発明の実施の形態７におけるヒートポンプ式暖房給湯機を示す回路図である。本実施の形態におけるヒートポンプ式暖房給湯機は、実施の形態６におけるヒートポンプ式暖房給湯機１３０と比較して、基本的には同様の構造を備える。以下、重複する構造については、その説明を繰り返さない。
【０１０３】
図１６を参照して、本実施の形態では、インジェクション回路２２上に、図１２中の開閉弁４１に替えて、膨張弁４２が設けられている。膨張弁４２としては、全閉状態とすることが可能なものが用いられる。
【０１０４】
このように構成された、この発明の実施の形態７におけるヒートポンプ式暖房給湯機によれば、実施の形態６に記載の効果を同様に奏することができる。
【０１０５】
なお、以上に説明した、実施の形態１〜７に記載の構成を適宜組み合わせて新たなヒートポンプ装置を構成してもよい。
【０１０６】
以下、本発明のより好ましい形態について説明する。
好ましくは、冷媒流れ制御手段は、圧縮機から利用側熱交換器に向けて送られる冷媒を分岐させ、第１熱源側熱交換器または第２熱源側熱交換器に導く。
【０１０７】
このように構成されたヒートポンプ装置によれば、圧縮機から利用側熱交換器に向けて送られる高温のガス冷媒を用いて、第１熱源側熱交換器または第２熱源側熱交換器において除霜運転を行なうことができる。
【０１０８】
好ましくは、圧縮機は、第１熱源側熱交換器および第２熱源側熱交換器から送られた冷媒を圧縮する下段側圧縮機と、下段側圧縮機から送られた冷媒を圧縮する上段側圧縮機とを含む。冷媒流れ制御手段は、除霜運転時、上段側圧縮機から吐出された冷媒を分岐させ、第１熱源側熱交換器または第２熱源側熱交換器に導く。
【０１０９】
このように構成されたヒートポンプ装置によれば、二段圧縮式のヒートポンプ装置において、上段側圧縮機から吐出された高温のガス冷媒を用いて、第１熱源側熱交換器または第２熱源側熱交換器において除霜運転を行なうことができる。
【０１１０】
好ましくは、圧縮機は、第１熱源側熱交換器および第２熱源側熱交換器から送られた冷媒を圧縮する下段側圧縮機と、下段側圧縮機から送られた冷媒を圧縮する上段側圧縮機とを含む。冷媒流れ制御手段は、除霜運転時、下段側圧縮機から吐出された冷媒を分岐させ、第１熱源側熱交換器または第２熱源側熱交換器に導く。
【０１１１】
このように構成されたヒートポンプ装置によれば、二段圧縮式のヒートポンプ装置において、下段側圧縮機から吐出された高温のガス冷媒を用いて、第１熱源側熱交換器または第２熱源側熱交換器において除霜運転を行なうことができる。
【０１１２】
好ましくは、冷媒流れ制御手段は、除霜運転時に、第１熱源側熱交換器または第２熱源側熱交換器に導かれた冷媒を、利用側熱交換器と減圧装置との間の冷凍回路上に戻す冷媒戻し回路を含む。
【０１１３】
このように構成されたヒートポンプ装置によれば、第１熱源側熱交換器または第２熱源側熱交換器において除霜を行なった冷媒を、冷媒戻し回路を通じて冷凍回路上に戻すことができる。
【０１１４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１１５】
この発明は、たとえば、ヒートポンプ式給湯機やヒートポンプ式暖房給湯機などに適用される。
【符号の説明】
【０１１６】
２１  冷凍回路、２１ａ，２１ｂ  分流路、２２  インジェクション回路、２３  バイパス回路、３１  圧縮機、３１Ａ  下段側圧縮機、３１Ｂ  上段側圧縮機、３３  利用側熱交換器、３４，３６，３６Ｘ，３６Ｙ，４２，５１４，５１６  膨張弁、３５  気液分離器、３５ａ  気相冷媒空間、３５ｂ  液相冷媒空間、３９，６２，７５，７６，７７，７８，８１，８２  開閉弁、５１，５２  熱源側熱交換器、６１  冷媒供給回路、６３  冷媒戻し回路、６６，６７，６８，６９，８３，８４，８５，８６  三方弁、７１，７２  短絡回路、７９  四方弁、９１，９２  接続回路、１１０，１２０，１３０  ヒートポンプ式暖房給湯機。
【図１】
2014224644.tif 000003
【図２】
2014224644.tif 000004
【図３】
2014224644.tif 000005
【図４】
2014224644.tif 000006
【図５】
2014224644.tif 000007
【図６】
2014224644.tif 000008
【図７】
2014224644.tif 000009
【図８】
2014224644.tif 000010
【図９】
2014224644.tif 000011
【図１０】
2014224644.tif 000012
【図１１】
2014224644.tif 000013
【図１２】
2014224644.tif 000014
【図１３】
2014224644.tif 000015
【図１４】
2014224644.tif 000016
【図１５】
2014224644.tif 000017
【図１６】
2014224644.tif 000018
【図１７】
2014224644.tif 000019